(57)【要約】    【課題】電力消費を低減させることが可能な表示パネルの駆動方法を提供することを目的とする。    【解決手段】単位表示期間内において各画素内の１の表示セルにて実施される第２回目以降の選択消去動作の回数と、この表示セルとは異なる色で発光する表示セルにて実施される第２回目以降の選択消去動作の回数とを互いに異ならせる。    【選択図】  図８
2006243240.tif 000002
【特許請求の範囲】
【請求項１】
互いに異なる色で発光する複数の表示セルからなる画素の複数がマトリクス状に配列された表示パネルを、単位表示期間毎に複数のサブフィールドにて階調駆動する表示パネルの駆動方法であって、
前記単位表示期間内の先頭のサブフィールドにおいて全ての前記表示セルを点灯モードの状態に初期化し、
前記単位表示期間内において、入力映像信号によって示される輝度レベルに応じた１のサブフィールドにて前記表示セルを前記点灯モードから消灯モードの状態に遷移させる第１選択消去動作と、前記１のサブフィールドに後続するサブフィールド各々の内の少なくとも１のサブフィールドにて再び前記表示セルを消灯モードの状態に遷移させる第２選択消去動作と、前記点灯モードにある前記表示セルのみを前記サブフィールドの輝度重み付けに対応した回数だけ発光させるサスティン動作とを実行し、
前記単位表示期間内において前記画素内の１の表示セルにて実施される前記第２選択消去動作の回数と、前記画素内の前記１の表示セルとは異なる色で発光する表示セルにて実施される前記第２選択消去動作の回数とが互いに異なることを特徴とする表示パネルの駆動方法。
【請求項２】
前記画素内の前記表示セルの各々は互いに同一の表示ライン上において隣接して配置され、
前記画素内において視覚的な輝度レベルが比較的低い色を担う表示セルにおいて実施される前記第２選択消去動作の回数は、視覚的な輝度レベルが高い色を担う表示セルにおいて実施される前記第２選択消去動作の回数よりも多いことを特徴とする請求項１記載の表示パネルの駆動方法。
【請求項３】
前記画素内の前記表示セルの各々は、赤色発光を為す赤色表示セル、緑色発光を為す緑色表示セル、及び青色発光を為す青色表示セルであり、
前記視覚的な輝度レベルが比較的低い色を担う表示セルは前記青色表示セルであり、前記視覚的な輝度レベルが比較的高い色を担う表示セルは前記赤色表示セル及び／又は前記緑色表示セルであることを特徴とする請求項２記載の表示パネルの駆動方法。
【請求項４】
前記先頭のサブフィールドから前記１のサブフィールドまでの間に配列されている前記サブフィールド各々において前記表示セルは前記点灯モードの状態を維持することを特徴とする請求項１記載の表示パネルの駆動方法。
【請求項５】
互いに異なる色で発光する複数の表示セルからなる画素の複数がマトリクス状に配列された表示パネルを、単位表示期間毎に複数のサブフィールドにて階調駆動する表示パネルの駆動方法であって、
前記単位表示期間内の先頭のサブフィールドにおいて全ての前記表示セルを点灯モードの状態に初期化し、
前記単位表示期間内において、入力映像信号によって示される輝度レベルに応じた１のサブフィールドにて前記表示セルを前記点灯モードから消灯モードの状態に遷移させる第１選択消去動作と、前記１のサブフィールドに後続するサブフィールド各々の内の少なくとも１のサブフィールドにて再び前記表示セルを消灯モードの状態に遷移させる第２選択消去動作と、前記点灯モードにある前記表示セルのみを前記サブフィールドの輝度重み付けに対応した回数だけ発光させるサスティン動作とを実行し、
前記１のサブフィールドにおいて、前記第１選択消去動作の対象となっている前記表示セルに隣接する表示セル各々が前記消灯モード状態にある場合には前記隣接する表示セル各々に対して前記第２選択消去動作を実行することを特徴とする表示パネルの駆動方法。
【請求項６】
前記画素内の前記表示セルの各々は互いに同一の表示ライン上において隣接して配置された、赤色発光を為す赤色表示セル、緑色発光を為す緑色表示セル、及び青色発光を為す青色表示セルであることを特徴とする請求項５記載の表示パネルの駆動方法。
【請求項７】
互いに異なる色で発光する複数の表示セルからなる画素の複数がマトリクス状に配列された表示パネルを、単位表示期間毎に複数のサブフィールドにて階調駆動する表示パネルの駆動方法であって、
前記単位表示期間内の先頭のサブフィールドにおいて全ての前記表示セルを点灯モードの状態に初期化し、
前記単位表示期間内において、入力映像信号によって示される輝度レベルに応じた１のサブフィールドにて前記表示セルを前記点灯モードから消灯モードの状態に遷移させる第１選択消去動作と、前記１のサブフィールドに後続するサブフィールド各々の内の所定のサブフィールドにて再び前記表示セルを消灯モードの状態に遷移させる第２選択消去動作と、前記点灯モードにある前記表示セルのみを前記サブフィールド各々に割り当てられている回数だけ発光させるサスティン動作とを実行し、
前記入力映像信号における平均輝度レベルに応じて前記サブフィールド各々に割り当てるべき発光の回数を変更すると共に前記第２選択消去動作を実行すべきサブフィールドを変更することを特徴とする表示パネルの駆動方法。
【請求項８】
前記画素内の前記表示セルの各々は互いに同一の表示ライン上において隣接して配置された、赤色発光を為す赤色表示セル、緑色発光を為す緑色表示セル、及び青色発光を為す青色表示セルであることを特徴とする請求項７記載の表示パネルの駆動方法。
【発明の詳細な説明】
【技術分野】
【０００１】
本発明は、マトリクス表示方式の表示パネルの駆動方法に関する。
【背景技術】
【０００２】
現在、薄型の表示パネルとしてＡＣ型(交流放電型)のプラズマディスプレイパネル（以下、ＰＤＰと称する）を搭載したプラズマディスプレイ装置が製品化されている（例えば特許文献１参照）。
【０００３】
ＰＤＰにおいては、２次元表示画面の縦方向（垂直方向）に夫々伸張して配列された複数の列電極と、横方向（水平方向）に夫々伸張して配列された複数の行電極との各交叉部に放電空間を有する表示セルが形成されている。プラズマディスプレイ装置では、かかるＰＤＰの列電極及び行電極に各種駆動パルスを印加することにより選択的に表示セルの各々を放電せしめ、その放電に伴う発光によって画面上に表示画像を形成させる。この際、各表示セルは放電現象を利用して発光を行うものである為、最高輝度で発光するか、又は消灯するかの２つの状態しかもたない。つまり、２階調分の輝度レベルしか表現できないのである。そこで、かかる表示セルを有するＰＤＰにて、入力映像信号に対応した中間輝度表示を実現させるべく、サブフィールド法に基づく階調駆動を実施する。
【０００４】
サブフィールド法に基づく階調駆動では、１フィールド又は１フレーム分の画像の表示期間をＮ個のサブフィールドに分割し、各サブフィールドに、画素データ(Ｎビット)の各ビット桁の重み付けに対応した発光期間(発光回数)を夫々割り当ててＰＤＰに対する発光駆動を行う。
【０００５】
例えば、１つのフィールドを６個のサブフィールドＳＦ１〜ＳＦ６に分割した場合には、各サブフィールドに、
ＳＦ１：１
ＳＦ２：２
ＳＦ３：４
ＳＦ４：８
ＳＦ５：１６
ＳＦ６：３２
なる発光期間を割り当てる（特許文献１の図１参照）。
【０００６】
そして、入力映像信号によって表される輝度レベルに応じて、サブフィールドＳＦ１〜ＳＦ６各々で選択的に発光を実施させるのである。この際、１フィールド期間(ＳＦ１〜ＳＦ６)を通して実施された発光期間の合計に対応した中間輝度が視覚されるのである。例えば、サブフィールドＳＦ１〜ＳＦ６の内のＳＦ６のみで表示セルを発光させると、１フィールドを通して"３２"に対応した期間だけ表示セルが発光することになるので、"３２"に対応した中間輝度が視覚される。一方、ＳＦ６を除くＳＦ１〜ＳＦ５の各々で表示セルを発光させると、１フィールドを通して"１"＋"２"＋"４"＋"８"＋"１６"＝"３１"に対応した期間だけ表示セルが発光するので、"３１"に対応した中間輝度が視覚されるのである。
【０００７】
この際、６つのサブフィールドによれば、発光を実施させるサブフィールと発光を実施させないサブフィールドとの組み合わせ方(発光パターン)が６４通り考えられる。かかる６４通りの発光パターンによれば、１フィールドを通しての発光期間の合計も６４通りとなり、６４階調分の中間輝度を表すことが可能となる。
【０００８】
ここで、例えば、輝度"３２"の表示を担う画素に対応した表示セルＧ31と、輝度"３１"の表示を担う画素に対応した表示セルＧ32とでは、１フィールド期間内での発光期間及び消灯期間が互いに反転している（特許文献１の図１参照）。よって、ＰＤＰの画面を眺めるにあたり、先ず、図１の破線にて示す如くＳＦ１〜ＳＦ５に亘って表示セルＧ32を眺めてからその視線を表示セルＧ31に移すと、両者の消灯状態のみを連続して見ることになる。従って、その境界上に暗い線が偽輪郭となって視覚されるようになり、画像品質を低下させるという問題が発生した。
【０００９】
そこで、表現すべき輝度に対応した数だけ連続したサブフィールドにて表示セルを点灯させた後は、サブフィールドＳＦ６に到るまで表示セルを消灯状態に維持させるようにした駆動方法が提案された（特許文献１の図２参照）。かかる駆動によると、１フィールド期間内において発光期間及び消灯期間が互いに反転した発光パターンは存在しないので、前述した如き偽輪郭は発生しない。
【００１０】
ところが、互いに隣接する表示セルの内の一方の表示セルに放電を生起させるべき駆動パルスが印加され、他方の表示セルには駆動パルスの印加が為されなかった場合には、これら表示セルは互いに電界の干渉を受けることになり、放電が正しく生起されない場合が生じる。そこで、一旦消灯状態に遷移させた表示セルに対しても、繰り返しこの表示セルを消灯状態に遷移させるべき放電を生起させる為の駆動パルスを印加するようにしていた。従って、低輝度表示時においても比較的電力消費が大になるという問題があった。
【特許文献１】特開２００３−２２０４５号公報
【発明の開示】
【発明が解決しようとする課題】
【００１１】
本発明は、上記の問題を解決するためになされたものであり、電力消費を低減させることが可能な表示パネルの駆動方法を提供することを目的とする。
【課題を解決するための手段】
【００１２】
請求項１記載による表示パネルの駆動方法は、互いに異なる色で発光する複数の表示セルからなる画素の複数がマトリクス状に配列された表示パネルを、単位表示期間毎に複数のサブフィールドにて階調駆動する表示パネルの駆動方法であって、前記単位表示期間内の先頭のサブフィールドにおいて全ての前記表示セルを点灯モードの状態に初期化し、前記単位表示期間内において、入力映像信号によって示される輝度レベルに応じた１のサブフィールドにて前記表示セルを前記点灯モードから消灯モードの状態に遷移させる第１選択消去動作と、前記１のサブフィールドに後続するサブフィールド各々の内の少なくとも１のサブフィールドにて再び前記表示セルを消灯モードの状態に遷移させる第２選択消去動作と、前記点灯モードにある前記表示セルのみを前記サブフィールドの輝度重み付けに対応した回数だけ発光させるサスティン動作とを実行し、前記単位表示期間内において前記画素内の１の表示セルにて実施される前記第２選択消去動作の回数と、前記画素内の前記１の表示セルとは異なる色で発光する表示セルにて実施される前記第２選択消去動作の回数とが互いに異なる。
【００１３】
又、請求項５記載による表示パネルの駆動方法は、互いに異なる色で発光する複数の表示セルからなる画素の複数がマトリクス状に配列された表示パネルを、単位表示期間毎に複数のサブフィールドにて階調駆動する表示パネルの駆動方法であって、前記単位表示期間内の先頭のサブフィールドにおいて全ての前記表示セルを点灯モードの状態に初期化し、前記単位表示期間内において、入力映像信号によって示される輝度レベルに応じた１のサブフィールドにて前記表示セルを前記点灯モードから消灯モードの状態に遷移させる第１選択消去動作と、前記１のサブフィールドに後続するサブフィールド各々の内の少なくとも１のサブフィールドにて再び前記表示セルを消灯モードの状態に遷移させる第２選択消去動作と、前記点灯モードにある前記表示セルのみを前記サブフィールドの輝度重み付けに対応した回数だけ発光させるサスティン動作とを実行し、前記１のサブフィールドにおいて、前記第１選択消去動作の対象となっている前記表示セルに隣接する表示セル各々が前記消灯モード状態にある場合には前記隣接する表示セル各々に対して前記第２選択消去動作を実行する
又、請求項７記載による表示パネルの駆動方法は、互いに異なる色で発光する複数の表示セルからなる画素の複数がマトリクス状に配列された表示パネルを、単位表示期間毎に複数のサブフィールドにて階調駆動する表示パネルの駆動方法であって、前記単位表示期間内の先頭のサブフィールドにおいて全ての前記表示セルを点灯モードの状態に初期化し、前記単位表示期間内において、入力映像信号によって示される輝度レベルに応じた１のサブフィールドにて前記表示セルを前記点灯モードから消灯モードの状態に遷移させる第１選択消去動作と、前記１のサブフィールドに後続するサブフィールド各々の内の所定のサブフィールドにて再び前記表示セルを消灯モードの状態に遷移させる第２選択消去動作と、前記点灯モードにある前記表示セルのみを前記サブフィールド各々に割り当てられている回数だけ発光させるサスティン動作とを実行し、前記入力映像信号における平均輝度レベルに応じて前記サブフィールド各々に割り当てるべき発光の回数を変更すると共に前記第２選択消去動作を実行すべきサブフィールドを変更する。
【発明を実施するための最良の形態】
【００１４】
単位表示期間内において各画素内の１の表示セルにて実施される第２回目以降の選択消去動作の回数と、この表示セルとは異なる色で発光する表示セルにて実施される第２回目以降の選択消去動作の回数とを互いに異ならせる。
【実施例１】
【００１５】
以下、本発明の実施例を図を参照しつつ説明する。
【００１６】
図１は、本発明による駆動方法に従ってプラズマディスプレイパネルを駆動するプラズマディスプレイ装置の概略構成を示す図である。
【００１７】
かかるプラズマディスプレイ装置は、Ａ／Ｄ変換器１、駆動制御回路２、メモリ４、アドレスドライバ６、第１サスティンドライバ７、第２サスティンドライバ８、及び画素駆動データ生成回路３０からなる駆動部と、プラズマディスプレイパネルとしてのＰＤＰ１０と、から構成される。
【００１８】
ＰＤＰ１０は、赤色発光駆動を担う列電極Ｄ1、Ｄ4、Ｄ7、・・・・、Ｄm-2と、緑色発光駆動を担う列電極Ｄ2、Ｄ5、Ｄ8、・・・・、Ｄm-1と、青色発光駆動を担う列電極Ｄ3、Ｄ6、Ｄ9、・・・・、Ｄmとからなるｍ個の列電極Ｄ1〜Ｄmと、列電極Ｄ各々と交叉して配列された夫々ｎ個の行電極Ｘ1〜Ｘn及びＹ1〜Ｙnを備えている。行電極Ｘ1〜Ｘn及び行電極Ｙ1〜Ｙnは、夫々一対の行電極Ｘi(1≦i≦n)及びＹi(1≦i≦n)にてＰＤＰ１０における第１表示ライン〜第ｎ表示ラインを担っている。列電極Ｄと、行電極Ｘ及びＹとの間には、放電ガスが封入されている放電空間が形成されており、この放電空間を含む各行電極対と列電極との各交叉部に表示セルが形成される構造となっている。すなわち、列電極Ｄ1、Ｄ4、Ｄ7、・・・・、Ｄm-2上にはその放電時において赤色で発光する表示セルＣRが形成されている。又、列電極Ｄ3、Ｄ6、Ｄ9、・・・・、Ｄm上にはその放電時において緑色で発光する表示セルＣGが形成されている。更に、列電極Ｄ3、Ｄ6、Ｄ9、・・・・、Ｄm上ににはその放電時において青色で発光する表示セルＣBが夫々形成されている。この際、画面の横方向において隣接している３つの表示セルＣR、表示セルＣG、及び表示セルＣBにて１画素分の表示を担う画素セルを形成している。
【００１９】
Ａ／Ｄ変換器１は、アナログの入力映像信号をサンプリングしてこれを各画素に対応した例えば８ビットの画素データＰＤに変換して画素駆動データ生成回路３０に供給する。
【００２０】
図２は、かかる画素駆動データ生成回路３０の内部構成を示す図である。
【００２１】
図２において、第１データ変換回路３２は、８ビットで「０」〜「２５５」を表現し得る上記画素データＰＤを、図３に示す如き変換特性に基づいて「０」〜「２２４」を表現し得る８ビットの輝度変換画素データＰＤHに変換し、これを多階調化処理回路３３に供給する。かかる第１データ変換回路３２のデータ変換により、後述する多階調化処理時の輝度飽和、並びに、表示階調がビット境界にない場合に生じる表示特性の平坦部の発生(すなわち、階調歪みの発生)が抑制される。
【００２２】
多階調化処理回路３３は、８ビットの輝度変換画素データＰＤHに対して誤差拡散処理及びディザ処理を施すことにより、現階調数を維持しつつもそのビット数を４ビットに削減した多階調化画素データＰＤSを生成する。例えば、上記誤差拡散処理では、先ず、輝度変換画素データＰＤHの上位６ビット分を表示データ、残りの下位２ビット分を誤差データと捉える。そして、周辺画素各々に対応した上記輝度変換画素データＰＤHの各誤差データを重み付け加算したものを、上記表示データに反映させる。かかる動作により、原画素における下位２ビット分の輝度が上記周辺画素によって擬似的に表現され、それ故に８ビットよりも少ない６ビット分の表示データにて、上記８ビット分の画素データと同等の輝度階調表現が可能になる。そして、この誤差拡散処理によって得られた６ビットの誤差拡散処理画素データに対してディザ処理を施す。ディザ処理では、互いに隣接する複数の画素を１画素単位とし、この１画素単位内の各画素に対応した上記誤差拡散処理画素データに夫々、互いに異なる係数値からなるディザ係数を夫々割り当てて加算してディザ加算画素データを得る。かかるディザ係数の加算によれば、上記１画素単位で眺めた場合には、上記ディザ加算画素データの上位４ビット分だけでも８ビットに相当する輝度を表現することが可能となる。そこで、多階調化処理回路３３は、上記ディザ加算画素データの上位４ビット分を多階調化画素データＰＤSとして第２データ変換回路３４に供給する。すなわち、ＰＤＰ１０の各表示セルＣに対応した１画面(ｎ行×ｍ列)分の多階調化画素データＰＤSが第２データ変換回路３４に供給されるのである。
【００２３】
第２データ変換回路３４は、かかる多階調化画素データＰＤSの内で青色の表示セルＣBに対応した多階調化画素データＰＤSを、図４に示す如きデータ変換テーブルＡに従って１４ビットの画素駆動データＧＤに変換してメモリ４に供給する。又、第２データ変換回路３４は、多階調化画素データＰＤSの内で赤色の表示セルＣR又は緑色の表示セルＣGに対応した多階調化画素データＰＤSを、図５に示す如きデータ変換テーブルＢに従って１４ビットの画素駆動データＧＤに変換してメモリ４に供給する。
【００２４】
メモリ４は、１４ビットの上記画素駆動データＧＤを、駆動制御回路２から供給された書込信号に従って順次書き込む。ここで、１画面(ｎ行×ｍ列)分の書き込みが終了すると、メモリ４は、駆動制御回路２から供給された読出信号に従って、その書き込まれたデータを以下の如く読み出す。
【００２５】
先ず、メモリ４では、書き込まれた１画面分の画素駆動データＧＤの各々を、各ビット桁(第１ビット〜第１４ビット)毎に分割した画素駆動データビットＤＢ１〜ＤＢ１４と捉える。
【００２６】
すなわち、
ＤＢ１(1,1)〜ＤＢ１(n,m)：ＧＤ(1,1)〜ＧＤ(n,m)各々の第１ビット
ＤＢ２(1,1)〜ＤＢ２(n,m)：ＧＤ(1,1)〜ＧＤ(n,m)各々の第２ビット
ＤＢ３(1,1)〜ＤＢ３(n,m)：ＧＤ(1,1)〜ＧＤ(n,m)各々の第３ビット
ＤＢ４(1,1)〜ＤＢ４(n,m)：ＧＤ(1,1)〜ＧＤ(n,m)各々の第４ビット
ＤＢ５(1,1)〜ＤＢ５(n,m)：ＧＤ(1,1)〜ＧＤ(n,m)各々の第５ビット
ＤＢ６(1,1)〜ＤＢ６(n,m)：ＧＤ(1,1)〜ＧＤ(n,m)各々の第６ビット
ＤＢ７(1,1)〜ＤＢ７(n,m)：ＧＤ(1,1)〜ＧＤ(n,m)各々の第７ビット
ＤＢ８(1,1)〜ＤＢ８(n,m)：ＧＤ(1,1)〜ＧＤ(n,m)各々の第８ビット
ＤＢ９(1,1)〜ＤＢ９(n,m)：ＧＤ(1,1)〜ＧＤ(n,m)各々の第９ビット
ＤＢ10(1,1)〜ＤＢ10(n,m)：ＧＤ(1,1)〜ＧＤ(n,m)各々の第10ビット
ＤＢ11(1,1)〜ＤＢ11(n,m)：ＧＤ(1,1)〜ＧＤ(n,m)各々の第11ビット
ＤＢ12(1,1)〜ＤＢ12(n,m)：ＧＤ(1,1)〜ＧＤ(n,m)各々の第12ビット
ＤＢ13(1,1)〜ＤＢ13(n,m)：ＧＤ(1,1)〜ＧＤ(n,m)各々の第13ビット
ＤＢ14(1,1)〜ＤＢ14(n,m)：ＧＤ(1,1)〜ＧＤ(n,m)各々の第14ビット
である。
【００２７】
そして、メモリ４は、後述するサブフィールドＳＦ１のアドレス行程Ｗcにおいて、上記画素駆動データビットＤＢ１(1,1)〜ＤＢ１(n,m)を１表示ライン分ずつ読み出してアドレスドライバ６に供給する。次に、メモリ４は、後述するサブフィールドＳＦ２のアドレス行程Ｗcにおいて、上記画素駆動データビットＤＢ２(1,1)〜ＤＢ２(n,m)を１表示ライン分ずつ読み出してアドレスドライバ６に供給する。以下、同様にして、メモリ４は、後述するサブフィールドＳＦ３〜ＳＦ１４の各アドレス行程Ｗcのタイミングで、画素駆動データビットＤＢ３〜ＤＢ１４を１表示ライン分ずつ読み出してアドレスドライバ６に供給するのである。
【００２８】
駆動制御回路２は、図６に示す如きサブフィールド法に基づく発光駆動フォーマットに従ってＰＤＰ１０を駆動制御すべき各種タイミング信号をアドレスドライバ６、第１サスティンドライバ７及び第２サスティンドライバ８各々に供給する。
【００２９】
尚、図６に示される発光駆動フォーマットでは、１フィールド又は１フレーム分の表示期間、すなわち単位表示期間毎に１４個のサブフィールドＳＦ１〜ＳＦ１４各々内で、アドレス行程Ｗcと、サスティン行程Ｉcとを実施する。アドレス行程Ｗcでは、ＰＤＰ１０の各表示セルが、上記画素駆動データビットＤＢに応じて点灯モード及び消灯モードの内のいずれか一方の状態に設定される。又、サスティン行程Ｉcでは、上記点灯モードの状態にある表示セルのみが、図６中に記述されている回数比にて示される数だけ繰り返し発光される。尚、先頭のサブフィールドＳＦ１においてＰＤＰ１０の全表示セル内の壁電荷量を初期化せしめるリセット行程Ｒcが実行され、最後尾のサブフィールドＳＦ１４において全表示セル内の壁電荷を一斉に消去する消去行程Ｅが実行される。
【００３０】
図７は、駆動制御回路２から供給された各種タイミング信号に応じて、上記リセット行程Ｒc、アドレス行程Ｗcと、サスティン行程Ｉc及び消去行程Ｅにおいて、アドレスドライバ６、第１サスティンドライバ７及び第２サスティンドライバ８各々がＰＤＰ１０に印加する各種駆動パルスを示す図である。
【００３１】
先ず、リセット行程Ｒcにおいて、第１サスティンドライバ７及び第２サスティンドライバ８各々が、図７に示す如き波形を有するリセットパルスＲＰx及びＲＰYをＰＤＰ１０の行電極Ｘ1〜Ｘn及びＹ1〜Ｙnに印加する。これらリセットパルスＲＰx及びＲＰYの印加により、ＰＤＰ１０中の全ての表示セルがリセット放電し、かかるリセット放電の直後、各表示セル内には一様に所定量の壁電荷が形成される。このリセット放電により、全ての表示セルが点灯モードの状態に初期化される。
【００３２】
次に、各サブフィールドのアドレス行程Ｗcでは、アドレスドライバ６が、上記メモリ４から供給された画素駆動データビットＤＢの論理レベルに対応した電圧を有する画素データパルスを発生する。例えば、アドレスドライバ６は、画素駆動データビットＤＢの論理レベルが「１」である場合には正極性の所定の高電圧を有する画素データパルスを生成し、「０」である場合には低電圧(０ボルト)の画素データパルスＤＰを生成する。そして、アドレスドライバ６は、この生成した画素データパルスＤＰを１行分(ｍ個)毎に列電極Ｄ1〜Ｄmに印加して行く。例えば、サブフィールドＳＦ１のアドレス行程Ｗcでは、メモリ４から画素駆動データビットＤＢ１(1,1)〜ＤＢ１(n,m)が供給されるので、アドレスドライバ６は、先ず、この中から第１行目に対応した分、つまりＤＢ１(1,1)〜ＤＢ１(1,m)を抽出する。そして、アドレスドライバ６は、これらｍ個のＤＢ１(1,1)〜ＤＢ１(1,m)各々を、その論理レベルに対応したｍ個の画素データパルスＤＰ１(1,1)〜ＤＰ１(1,m)に変換し、これらを図７に示す如く同時に列電極Ｄ1〜Ｄmに印加する。次に、アドレスドライバ６は、画素駆動データビット群ＤＢ１の中から第２行目に対応したＤＢ(2,1)〜ＤＢ１(2,m)を抽出する。そして、アドレスドライバ６は、これらｍ個のＤＢ(2,1)〜ＤＢ１(2,m)各々を、その論理レベルに対応したｍ個の画素データパルスＤＰ１(2,1)〜ＤＰ１(2,m)に変換し、これらを図７８に示す如く同時に列電極Ｄ1〜Ｄmに印加する。以下、同様にしてアドレスドライバ６は、サブフィールドＳＦ１のアドレス行程Ｗcにおいて、メモリ４から供給された画素駆動データビットＤＢ１に対応した画素データパルスＤＰ１を１行分毎に列電極Ｄ1〜Ｄmに印加して行くのである。
【００３３】
更に、アドレス行程Ｗcでは、第２サスティンドライバ８が、上述した如き１行分毎の画素データパルスＤＰの印加タイミングと同一タイミングにて、図７に示されるが如き負極性の走査パルスＳＰを発生し、これを行電極Ｙ1〜Ｙnへと順次印加して行く。この際、走査パルスＳＰが印加された行電極と、高電圧の画素データパルスが印加された列電極との交差部の表示セルにのみ選択消去放電が生起され、その表示セル内に残存していた壁電荷が選択的に消去される。この選択消去放電により、上記リセット行程Ｒcにおいて点灯モードの状態に初期化された表示セルは消灯モードの状態に遷移する。一方、走査パルスＳＰが印加されたものの低電圧（０ボルト）の画素データパルスが印加された表示セルには上記選択消去放電が生起されず、この表示セルは直前までの状態を維持する。すなわち、点灯モードの状態にあった表示セルはそのまま点灯モードの状態、消灯モードの状態にあった表示セルはそのまま消灯モードの状態に維持される。
【００３４】
次に、各サブフィールドのサスティン行程Ｉcでは、第１サスティンドライバ７及び第２サスティンドライバ８各々が、行電極Ｘ1〜Ｘn及びＹ1〜Ｙnに対して図７に示されるように交互に正極性のサスティンパルスＩＰX及びＩＰYを印加する。尚、サブフィールドＳＦ１〜ＳＦ１４の各サスティン行程Ｉcにおいて上記サスティンパルスＩＰを繰り返し印加する回数は、そのサブフィールドの輝度重み付けに応じて予め割り当てられている。すなわち、ＳＦ１での印加回数を「１」とした場合、図６に示すように、
ＳＦ１：１
ＳＦ２：３
ＳＦ３：５
ＳＦ４：８
ＳＦ５：１０
ＳＦ６：１３
ＳＦ７：１６
ＳＦ８：１９
ＳＦ９：２２
ＳＦ10：２５
ＳＦ11：２８
ＳＦ12：３２
ＳＦ13：３５
ＳＦ14：３９
となる。
【００３５】
この際、壁電荷が残留したままとなっている表示セル、すなわち点灯モードの状態にある表示セルのみが、上記サスティンパルスＩＰX及びＩＰYが印加される度にサスティン放電し、各サブフィールド毎に割り当てられた回数分だけ、そのサスティン放電に伴う発光状態を維持する。
【００３６】
ここで、各サブフィールドにおいて表示セルが点灯モードの状態に設定されて、そのサブフィールドにおいてサスティン放電が生起されるか否かは、図４又は図５に示されるが如き画素駆動データＧＤによって決定する。
【００３７】
すなわち、画素駆動データＧＤに応じて、先ず、図４又は図５の発光駆動パターンにて示されるように、表現すべき輝度レベルに応じた１のサブフィールド（黒丸印にて示す）のアドレス行程Ｗにて第１回目の選択消去放電を生起させるべき駆動が為される。この際、図６の発光駆動フォーマットに従った駆動によれば、表示セルを消灯モードから点灯モードに遷移させることが可能な機会はサブフィールドＳＦ１のリセット行程Ｒcだけである。よって、図４又は図５において黒丸にて示されるサブフィールドにて第１回目の選択消去放電が生起されると、それ以降、最後尾のサブフィールドＳＦ１４まで点灯モードが維持され、各サブフィールドにおいて連続してサスティン放電発光（白丸印にて示す）が為される。すると、サブフィールドＳＦ１〜ＳＦ１４各々のサスティン行程Ｉにおいて生起されたサスティン放電の総数に対応した中間輝度が視覚される。すなわち、画素駆動データＧＤに応じて、図４又は図５に示されるが如き１５種類の発光駆動パターンの内の１の駆動が選択的に実施されることにより、夫々の輝度比が、
｛0,1,4,9,17,27,40,56,75,97,122,150,182,217,255｝
なる１５階調分の中間輝度が表現されるのである。
【００３８】
ここで、図４又は図５に示される駆動では、表現すべき輝度階調レベルに応じた１のサブフィールド（黒丸印にて示す）にて第１回目の選択消去放電を生起させるべき駆動を実施するようにしている。すなわち、サブフィールドのアドレス行程Ｗcにおいて、走査パルスＳＰを行電極に印加しつつ、選択消去放電を生起させるべき正極性の高電圧の画素データパルスを列電極に印加するのである。ところが、例え正極性の高電圧の画素データパルスを列電極に印加しても、この第１回目の選択消去放電が正しく生起されない場合がある。そこで、図４又は図５に示される駆動では、第１回目の選択消去放電（黒丸印にて示す）を生起させるべき駆動を実施した後も、後続するサブフィールドにおいて第２回目以降の選択消去放電（黒三角印にて示す）を繰り返し生起させるべき駆動を実施するようにしている。すなわち、これら後続するサブフィールド各々のアドレス行程Ｗcにおいて、選択消去放電を生起させるべき正極性の高電圧の画素データパルスを列電極に印加するのである。
【００３９】
この際、ＰＤＰ１０の各表示セルの内で青色の発光を担う表示セルＣBに対しては、図４の黒丸にて示す第１回目の選択消去放電を生起させる駆動を実施した後、最後尾のサブフィールドＳＦ１４までの各サブフィールドのアドレス行程Ｗにて第２回目以降の選択消去放電（黒三角印にて示す）を生起させるべき駆動を実施する。一方、赤色又は緑色の発光を担う表示セルＣR又はＣGに対しては、図５に示す如く、第１回目の選択消去放電を生起させる駆動を実施したサブフィールドに後続する２つのサブフィールド各々のアドレス行程Ｗにて第２回目以降の選択消去放電（黒三角印にて示す）を繰り返し生起させるべき駆動を実施する。
【００４０】
以下に、かかる駆動を実施した場合の動作について、図１に示すＰＤＰ１０の第１表示ライン（行電極Ｘ1及びＹ1）と、列電極Ｄ1〜Ｄ6各々との各交叉部に形成されている表示セルＣR1,ＣG1,ＣB1,ＣR2,ＣG2,ＣB2各々を抜粋して説明する。
【００４１】
図８は、これら６つの表示セルＣR1,ＣG1,ＣB1,ＣR2,ＣG2,ＣB2各々を、上述した如き｛0,1,4,9,17,27,40,56,75,97,122,150,182,217,255｝なる１５階調分の中間輝度レベルの内の「４」,「４０」,「９」,「２７」,「９」,「４」にて夫々発光させる場合、つまり、
ＣR1：輝度レベル「４」
ＣG1：輝度レベル「４０」
ＣB1：輝度レベル「９」
ＣR2：輝度レベル「２７」
ＣB2：輝度レベル「９」
ＣG2：輝度レベル「４」
なる発光駆動を実施させる場合の発光駆動パターンを示す図である。
【００４２】
先ず、輝度レベル「４」で表示セルＣR1及びＣB2を発光させる際には、［００１０］なる多階調化画素データＰＤSが供給される。この際、表示セルＣR1に対応した画素駆動データＧＤは、図５に示されるデータ変換テーブルＢにより［００１１１０００００００００］となる。一方、表示セルＣB2に対応した画素駆動データＧＤは図４に示されるデータ変換テーブルＡにより［００１１１１１１１１１１１１］となる。従って、かかる画素駆動データＧＤに応じて、表示セルＣR1及びＣB2各々を共にサブフィールドＳＦ１〜ＳＦ１４の内のＳＦ１及びＳＦ２にてサスティン放電（白丸にて示す）させ、ＳＦ３において第１回目の選択消去放電（黒丸にて示す）を生起させるべき駆動が為される。更に、このＳＦ３に後続するサブフィールドにおいて表示セルＣR1及びＣB2各々に対して第２回目以降の選択消去放電（黒三角にて示す）を生起させるべき駆動が為される。この際、表示セルＣB2に対しては、ＳＦ４から最後尾のＳＦ１４までの各サブフィールドにて第２回目以降の選択消去放電を生起させるべき駆動が為されるが、表示セルＣR1に対しては、ＳＦ４及びＳＦ５のみで第２回目及び第３回目の選択消去放電を夫々生起させるべき駆動が為される。
【００４３】
次に、輝度レベル「４０」で表示セルＣG1を発光させる際には、［０１１０］なる多階調化画素データＰＤSが供給される。この際、表示セルＣG1に対応した画素駆動データＧＤは、図５に示されるデータ変換テーブルＢにより［００００００１１１０００００］となる。従って、かかる画素駆動データＧＤに応じて、表示セルＣG1をサブフィールドＳＦ１〜ＳＦ１４の内のＳＦ１〜ＳＦ６の各々にてサスティン放電（白丸にて示す）させ、ＳＦ７において第１回目の選択消去放電（黒丸にて示す）を生起させるべき駆動が為される。更に、このＳＦ７に後続するサブフィールドＳＦ８及びＳＦ９において表示セルＣG1に対して第２回目及び第３回目の選択消去放電（黒三角にて示す）を夫々生起させるべき駆動が為される。
【００４４】
次に、輝度レベル「９」で表示セルＣB1及びＣG2を発光させる際には、［００１１］なる多階調化画素データＰＤSが供給される。この際、表示セルＣG2に対応した画素駆動データＧＤは、図５に示されるデータ変換テーブルＢにより［０００１１１００００００００］となる。一方、表示セルＣB1に対応した画素駆動データＧＤは図４に示されるデータ変換テーブルＡにより［０００１１１１１１１１１１１］となる。従って、かかる画素駆動データＧＤに応じて、表示セルＣB1及びＣG2各々を共にサブフィールドＳＦ１〜ＳＦ１４の内のＳＦ１〜ＳＦ３にてサスティン放電（白丸にて示す）させ、ＳＦ４において第１回目の選択消去放電（黒丸にて示す）を生起させるべき駆動が為される。更に、このＳＦ４に後続するサブフィールドにおいて表示セルＣB1及びＣG2各々に対して第２回目以降の選択消去放電（黒三角にて示す）を生起させるべき駆動が為される。この際、表示セルＣB1に対しては、ＳＦ５から最後尾のＳＦ１４までの各サブフィールドにて第２回目以降の選択消去放電を生起させるべき駆動が為されるが、表示セルＣG2に対しては、ＳＦ５及びＳＦ６のみで第２回目及び第３回目の選択消去放電を夫々生起させるべき駆動が為される。
【００４５】
次に、輝度レベル「２７」で表示セルＣR2を発光させる際には、［０１０１］なる多階調化画素データＰＤSが供給される。この際、表示セルＣR2に対応した画素駆動データＧＤは、図５に示されるデータ変換テーブルＢにより［０００００１１１００００００］となる。従って、かかる画素駆動データＧＤに応じて、表示セルＣR2をサブフィールドＳＦ１〜ＳＦ１４の内のＳＦ１〜ＳＦ５の各々にてサスティン放電（白丸にて示す）させ、ＳＦ６において第１回目の選択消去放電（黒丸にて示す）を生起させるべき駆動が為される。更に、このＳＦ６に後続するサブフィールドＳＦ７及びＳＦ８において表示セルＣR2に対して第２回目及び第３回目の選択消去放電（黒三角にて示す）を夫々生起させるべき駆動が為される。
【００４６】
このように、ＰＤＰ１０の表示セルの内で視覚的な発光輝度が比較的低い青色発光を担う表示セルＣBに対しては、第１回目の選択消去放電の後、第２回目以降の選択消去放電を生起させるべき駆動を最後尾のサブフィールドＳＦ１４までの各サブフィールドにおいて繰り返し実行する。ところが、青色発光に比して視覚的な発光輝度が高い赤色及び緑色発光を担う表示セルＣR及びＣGに対しては、第１回目の選択消去放電の後、第２回目以降の選択消去放電を生起させるべき駆動を２回だけに制限している。よって、全ての表示セルに対して、図４に示す如く、最後尾のサブフィールドＳＦ１４まで繰り返し第２回目以降の選択消去放電を生起させるべき駆動を実施する場合に比して電力消費が削減される。尚、例え赤色及び緑色発光を担う表示セルＣR及びＣGにて第２回目以降の選択消去放電を生起させるべき回数を少なくしても、これら表示セルＣR及びＣGに隣接する表示セルＣBにて最後尾のサブフィールドＳＦ１４に到るまで第２回目以降の選択消去放電を生起させるべき駆動を実施しているので、電界の干渉を受ける確率が低下する。例えば、図８において、表示セルＣG1は、サブフィールドＳＦ７において第１回目の選択消去放電を生起させるべき駆動が為される。この間、表示セルＣG1の一方の側に隣接する表示セルＣR1では第２回目以降の選択消去放電を生起させるべき駆動が為されていないが、他方の側に隣接する表示セルＣB1では第４回目の選択消去放電を生起させるべき画素データパルスの印加が為されている。よって、表示セルＣG1に対してこの表示セルＣG1に隣接する表示セルＣB1からの電界の干渉が無くなり、表示セルＣG1において確実に第１回目の選択消去放電を生起させることが可能となる。
【００４７】
尚、上記実施例では、赤色及び緑色発光を担う表示セルＣR及びＣGに対して実施する第２回目以降の選択消去放電の回数を、青色発光を担う表示セルＣBに対して実施する回数よりも少なくしているが、これに限定されるものではない。例えば、青色発光を担う表示セルＣB及び緑色発光を担う表示セルＣGに対して実施する第２回目以降の選択消去放電の回数を、赤色発光を担う表示セルＣRに対して実施する回数よりも少なくするようにしても良い。
【００４８】
又、上記実施例では、図４又は図５に示すように、表示セルＣR、ＣG、及びＣB毎に第２回目以降の選択消去放電を生起させるべきサブフィールドが設定されているが、各表示セル毎に、その隣接する表示セルの状態に応じて第２回目以降の選択消去放電を生起させるべき駆動を実施するようにしても良い。
【実施例２】
【００４９】
図９は、かかる点に鑑みて為された本発明の他の駆動方法に従ってプラズマディスプレイパネルを階調駆動するプラズマディスプレイ装置の概略構成を示す図である。
【００５０】
尚、図９に示されるプラズマディスプレイ装置において、Ａ／Ｄ変換器１、アドレスドライバ６、第１サスティンドライバ７、第２サスティンドライバ８及びＰＤＰ１０の動作については、図１のプラズマディスプレイ装置に示されているものと同一である。
【００５１】
駆動制御回路２０は、Ａ／Ｄ変換器１から供給された画素データＰＤに応じて、図１に示される駆動制御回路２と同様に、ＰＤＰ１０を図６及び図７に示す如く駆動すべき各種タイミング信号をアドレスドライバ６、第１サスティンドライバ７、及び第２サスティンドライバ８に供給する。
【００５２】
点灯消灯判別回路２１は、画素データＰＤに基づき、各表示セルが図６に示すサブフィールドＳＦ１〜ＳＦ１４各々のアドレス行程Ｗcにおいて点灯モード及び消灯モードのいずれの状態に設定されるのかを示す点灯消灯判別信号を駆動制御回路２０に供給する。
【００５３】
駆動制御回路２０は、先ず、かかる点灯消灯判別信号に基づき、各表示セル毎に、その表示セルに対して第１回目の選択消去放電を生起させるべきサブフィールドを検出する。次に、駆動制御回路２０は、各サブフィールド毎に、そのサブフィールドのアドレス行程Ｗcにおいて第１回目の選択消去放電の対象となる表示セルに正極性の高電圧の画素データパルスを印加させるべき信号をアドレスドライバ６に供給する。この際、アドレスドライバ６によって高電圧の画素データパルスが印加された表示セルにて第１回目の選択消去放電が生起され、この表示セルは点灯モードから消灯モードの状態に遷移する。これにより、先頭のサブフィールドＳＦ１から、この第１回目の選択消去放電の為されたサブフィールドまでの各サブフィールドのサスティン行程Ｉcにおいて、上記表示セルにサスティン放電が生起される。この際、サブフィールドＳＦ１〜ＳＦ１４に亘り生起されたサスティン放電の総数に対応した中間輝度が視覚される。
【００５４】
又、駆動制御回路２０は、上記点灯消灯判別信号に基づき、上記の如き第１回目の選択消去放電の為されたサブフィールドにおいて、この第１回目の選択消去放電の対象となった表示セルの右又は左側に隣接する表示セルが消灯モードの状態に設定されているか否かを判定する。この際、隣接する表示セルが消灯モードであると判定された場合に限り、駆動制御回路２は、このサブフィールドにおいて上記隣接する表示セルに対して、第２回目以降の選択消去放電を生起させる為の正極性の高電圧の画素データパルスを印加させるべき信号をアドレスドライバ６に供給する。これにより、各表示セルにおいて第１回目の選択消去放電が為されたサブフィールドに後続するサブフィールド各々の内で、左又は右に隣接する表示セルが第１回目の選択消去放電の対象となるサブフィールドのみで第２回目以降の選択消去放電を生起させるべき駆動が為されるのである。
【００５５】
図１０は、かかる動作を、１表示ライン上において隣接する６つの表示セルＣR1,ＣG1,ＣB1,ＣR2,ＣG2,ＣB2を抜粋して説明する為の図である。尚、図１０においては、これら表示セル各々を、
ＣR1：輝度レベル「４」
ＣG1：輝度レベル「４０」
ＣB1：輝度レベル「９」
ＣR2：輝度レベル「２７」
ＣB2：輝度レベル「９」
ＣG2：輝度レベル「４」
なる輝度レベルにて発光駆動させる場合の発光駆動パターンを示している。
【００５６】
先ず、表示セルＣR1を輝度レベル「４」で発光させる場合には、図１０に示す如く、サブフィールドＳＦ３のアドレス行程Ｗcにおいて第１回目の選択消去放電（黒丸にて示す）を生起させる。よって、表示セルＣR1は、サブフィールドＳＦ１〜ＳＦ１４の内のＳＦ１及びＳＦ２のみで点灯モードとなり、これらＳＦ１及びＳＦ２各々のサスティン行程Ｉcにおいて連続してサスティン放電（白丸にて示す）が生起される。そして、表示セルＣR1は、ＳＦ３〜ＳＦ１４に亘り消灯モードの状態を維持する。
【００５７】
又、表示セルＣG1を輝度レベル「４０」で発光させる場合には、図１０に示す如く、サブフィールドＳＦ７のアドレス行程Ｗcにおいて第１回目の選択消去放電（黒丸にて示す）を生起させる。よって、表示セルＣG1は、サブフィールドＳＦ１〜ＳＦ６に亘り点灯モードとなり、これらＳＦ１〜ＳＦ６各々のサスティン行程Ｉcにおいて連続してサスティン放電（白丸にて示す）が生起される。そして、表示セルＣG1は、ＳＦ７〜ＳＦ１４に亘り消灯モードの状態を維持する。
【００５８】
又、表示セルＣB1を輝度レベル「９」で発光させる場合には、図１０に示す如く、サブフィールドＳＦ４のアドレス行程Ｗcにおいて第１回目の選択消去放電（黒丸にて示す）を生起させる。よって、表示セルＣB1は、サブフィールドＳＦ１〜ＳＦ３に亘り点灯モードとなり、これらＳＦ１〜ＳＦ３各々のサスティン行程Ｉcにおいて連続してサスティン放電（白丸にて示す）が生起される。そして、表示セルＣB1は、ＳＦ４〜ＳＦ１４に亘り消灯モードの状態を維持する。
【００５９】
又、表示セルＣR2を輝度レベル「２７」で発光させる場合には、図１０に示す如く、サブフィールドＳＦ６のアドレス行程Ｗcにおいて第１回目の選択消去放電（黒丸にて示す）を生起させる。よって、表示セルＣR2は、サブフィールドＳＦ１〜ＳＦ５に亘り点灯モードとなり、これらＳＦ１〜ＳＦ５各々のサスティン行程Ｉcにおいて連続してサスティン放電（白丸にて示す）が生起される。そして、表示セルＣR2は、ＳＦ６〜ＳＦ１４に亘り消灯モードの状態を維持する。
【００６０】
又、表示セルＣG2を輝度レベル「９」で発光させる場合には、図１０に示す如く、サブフィールドＳＦ４のアドレス行程Ｗcにおいて第１回目の選択消去放電（黒丸にて示す）を生起させる。よって、表示セルＣG2は、サブフィールドＳＦ１〜ＳＦ３に亘り点灯モードとなり、これらＳＦ１〜ＳＦ３各々のサスティン行程Ｉcにおいて連続してサスティン放電（白丸にて示す）が生起される。そして、表示セルＣG2は、ＳＦ４〜ＳＦ１４に亘り消灯モードの状態を維持する。
【００６１】
ここで、表示セルＣG1において第１回目の選択消去放電の生起が為されるサブフィールドＳＦ７では、この表示セルＣG1に隣接する表示セルＣR1及びＣB1は共に消灯モードの状態にある。よって、このサブフィールドＳＦ７のアドレス行程Ｗcにおいて、これら表示セルＣR1及びＣB1各々に対して第２回目以降の選択消去放電（黒三角にて示す）を生起させるべき正極性の高電圧の画素データパルスの印加が為される。又、表示セルＣR2において第１回目の選択消去放電の生起が為されるサブフィールドＳＦ６では、この表示セルＣR2に隣接する表示セルＣB1及びＣG2は共に消灯モードの状態にある。よって、このサブフィールドＳＦ６のアドレス行程Ｗcにおいて、これら表示セルＣB1及びＣG2各々に対して第２回目以降の選択消去放電（黒三角にて示す）を生起させるべき正極性の高電圧の画素データパルスの印加が為される。
【００６２】
かかる駆動によれば、表示セルに対して第１回目の選択消去放電を生起させるべき駆動が為されている間、必ず、その表示セルに隣接する表示セル各々において第２回目の選択消去放電を生起させるべき画素データパルスの印加が為されているので、これら隣接する表示セルからの電界の干渉が防止される。更に、図４又は図５に示す如き駆動を実施する場合に比して、第２回目以降の選択消去放電を生起させるべき駆動を実施する回数が少なくなるので、更なる低電力化を図ることが可能となる。
【実施例３】
【００６３】
図１１は本発明の他の駆動方法に従ってプラズマディスプレイパネルを階調駆動するプラズマディスプレイ装置の概略構成を示す図である。
【００６４】
尚、図１１に示されるプラズマディスプレイ装置において、Ａ／Ｄ変換器１、メモリ４、アドレスドライバ６、第１サスティンドライバ７、第２サスティンドライバ８及びＰＤＰ１０の動作については、図１のプラズマディスプレイ装置に示されているものと同一である。
【００６５】
図１１において、平均輝度演算回路２３は、上記画素データＰＤに基づき、入力映像信号による画像１フレーム分（又は１フィールド分）毎の平均輝度レベルを算出し、その平均輝度レベルを示す平均輝度信号ＡＰＬを画素駆動データ生成回路２４及び駆動制御回路２５に供給する。
【００６６】
画素駆動データ生成回路２４は、先ず、８ビットで「０」〜「２５５」を表現し得る上記画素データＰＤを、図３に示す如き変換特性に基づいて「０」〜「２２４」を表現し得る８ビットの輝度変換画素データＰＤHに変換する。かかる変換により、後述する多階調化処理時の輝度飽和、並びに、表示階調がビット境界にない場合に生じる表示特性の平坦部の発生(すなわち、階調歪みの発生)が抑制される。次に、画素駆動データ生成回路２４は、上記の如き８ビットの輝度変換画素データＰＤHに対して誤差拡散処理及びディザ処理を施すことにより、現階調数を維持しつつもそのビット数を４ビットに削減した多階調化画素データＰＤSを生成する。例えば、上記誤差拡散処理では、先ず、輝度変換画素データＰＤHの上位６ビット分を表示データ、残りの下位２ビット分を誤差データと捉える。そして、周辺画素各々に対応した上記輝度変換画素データＰＤHの各誤差データを重み付け加算したものを、上記表示データに反映させる。かかる動作により、原画素における下位２ビット分の輝度が上記周辺画素によって擬似的に表現され、それ故に８ビットよりも少ない６ビット分の表示データにて、上記８ビット分の画素データと同等の輝度階調表現が可能になる。そして、この誤差拡散処理によって得られた６ビットの誤差拡散処理画素データに対してディザ処理を施す。ディザ処理では、互いに隣接する複数の画素を１画素単位とし、この１画素単位内の各画素に対応した上記誤差拡散処理画素データに夫々、互いに異なる係数値からなるディザ係数を夫々割り当てて加算してディザ加算画素データを得る。かかるディザ係数の加算によれば、上記１画素単位で眺めた場合には、上記ディザ加算画素データの上位４ビット分だけでも８ビットに相当する輝度を表現することが可能となる。そこで、上記ディザ加算画素データの上位４ビット分を多階調化画素データＰＤSとして生成する。
【００６７】
次に、画素駆動データ生成回路２４は、上記平均輝度信号ＡＰＬにて示される平均輝度レベルが所定の基準輝度レベルより大なる場合には図１２に示すデータ変換テーブルＡに従って、４ビットの多階調化画素データＰＤSを１４ビットの画素駆動データＧＤに変換してメモリ４に供給する。一方、上記平均輝度信号ＡＰＬにて示される平均輝度レベルが上記基準輝度レベルよりも小なる場合には図１３に示すデータ変換テーブルＢに従って、４ビットの多階調化画素データＰＤSを１４ビットの画素駆動データＧＤに変換してメモリ４に供給する。
【００６８】
駆動制御回路２５は、図１に示される駆動制御回路２と同様に、ＰＤＰ１０に対して図６及び図７に示す駆動を実施させるべき各種タイミング信号をアドレスドライバ６、第１サスティンドライバ７及び第２サスティンドライバ８各々に供給する。
【００６９】
但し、駆動制御回路２５は、平均輝度信号ＡＰＬにて示される平均輝度レベルが所定の基準輝度レベルより大なる場合には、サブフィールドＳＦ１〜ＳＦ１４各々のサスティン行程Ｉcに割り当てるべきサスティンパルスＩＰの印加回数を、その平均輝度レベルが大なるほど少なくする。
【００７０】
すなわち、駆動制御回路２５は、平均輝度信号ＡＰＬにて示される平均輝度レベルが上記基準輝度レベルよりも大なる場合には、
ＳＦ１：１
ＳＦ２：３
ＳＦ３：５
ＳＦ４：８
ＳＦ５：１０
ＳＦ６：１３
ＳＦ７：１６
ＳＦ８：１９
ＳＦ９：２２
ＳＦ10：２５
ＳＦ11：２８
ＳＦ12：３２
ＳＦ13：３５
ＳＦ14：３９
なる回数比を維持しつつ、サブフィールドＳＦ１〜ＳＦ１４各々のサスティン行程Ｉcに割り当てるべきサスティンパルスＩＰの印加回数を、上記平均輝度レベルが大なるほど少なくするのである。尚、かかる平均輝度レベルが上記基準輝度レベルよりも小なる場合には、上記回数比を維持しつつ、各サブフィールドＳＦ１〜ＳＦ１４のサスティン行程Ｉcに割り当てるべきサスティンパルスＩＰの印加回数を、所定の最大の印加回数に設定する。
【００７１】
以下に、かかる駆動を実施した場合の動作について説明する。
【００７２】
先ず、平均輝度信号ＡＰＬにて示される平均輝度レベルが所定の基準輝度レベルより大なる場合には図１２に示される画素駆動データＧＤに応じた駆動が実施される。図１２に示される駆動では、表現すべき輝度階調レベルに応じた１のサブフィールド（黒丸印にて示す）にて第１回目の選択消去放電を生起させるべき駆動が為される。この際、比較的低輝度を表現する場合（多階調化画素データＰＤSが［００００］〜［０１１０］なる範囲の場合）には、図１２に示す如く、サブフィールドＳＦ１０のアドレス行程Ｗcにおいて第２回目の選択消去放電（三角印にて示す）を生起させるべき駆動が為される。一方、中輝度を表現する場合（多階調化画素データＰＤSが［０１１１］〜［１０１１］なる範囲の場合）には、第１回目の選択消去放電（黒丸印にて示す）の為されたサブフィールドよりも２つ後方に位置するサブフィールドのアドレス行程Ｗcにおいて第２回目の選択消去放電（三角印にて示す）を生起させるべき駆動が為される。
【００７３】
又、平均輝度信号ＡＰＬにて示される平均輝度レベルが所定の基準輝度レベルより小なる場合には図１３に示される画素駆動データＧＤに応じた駆動が実施される。図１３に示される駆動では、表現すべき輝度階調レベルに応じた１のサブフィールド（黒丸印にて示す）にて第１回目の選択消去放電を生起させるべき駆動が為される。この際、比較的低輝度を表現する場合（多階調化画素データＰＤSが［００００］〜［０１１０］なる範囲の場合）には、図１３に示す如く、サブフィールドＳＦ９のアドレス行程Ｗcにおいて第２回目の選択消去放電（三角印にて示す）を生起させるべき駆動が為される。一方、中輝度を表現する場合（多階調化画素データＰＤSが［０１１１］〜［１０１１］なる範囲の場合）には、第１回目の選択消去放電（黒丸印にて示す）の為されたサブフィールドよりも２つ後方に位置するサブフィールドのアドレス行程Ｗcにおいて第２回目の選択消去放電（三角印にて示す）を生起させるべき駆動が為される。
【００７４】
すなわち、単位表示期間内において選択消去放電を２回だけ実施するにあたり、第２回目の選択消去放電（黒三角にて示す）を、隣接する表示セルからの電界の干渉を特に多く受けることになるサブフィールド（ＳＦ９又はＳＦ１０）で生起させるようにしたのである。
【００７５】
先ず、図１２に示される駆動が為される場合には、サブフィールドＳＦ１〜ＳＦ１４なる配列の内のＳＦ１０以降から隣接する表示セルからの電界の干渉を受ける確率が高くなる。つまり、第１回目の選択消去放電（黒丸にて示す）を生起させるべき駆動がサブフィールドＳＦ１０にて為される場合に、特に、その隣接する表示セルからの電界の干渉を多く受けることになるのである。そこで、較的低輝度を表現する場合（多階調化画素データＰＤSが［００００］〜［０１１０］なる範囲の場合）には、図１２の黒三角にて示す如く、サブフィールドＳＦ１０において一律に第２回目の選択消去放電を生起させるべき駆動を実施するようにしたのである。
【００７６】
これにより、例えば図１４に示す如く、表示セルＣG1に隣接する表示セルＣR1及びＣB1各々において第１回目の選択消去放電が夫々ＳＦ６及びＳＦ７にて為される場合であっても、これら表示セルＣR1及びＣB1各々の第２回目の選択消去放電（三角にて示す）は共にＳＦ１０にて為されることになる。よって、表示セルＣG1において第１回目の選択消去放電（黒丸にて示す）を生起させるべき駆動がＳＦ１０にて為される際には、隣接する表示セルＣR1及びＣB1各々には第２回目の選択消去放電を生起させるべき高電圧の画素データパルスが印加されている。従って、ＳＦ１０の時点において表示セルＣG1は、これら隣接する表示セルＣR1及びＣB1各々からの電界の干渉を受けなくなり、第１回目の選択消去放電が正しく生起されるようになる。
【００７７】
次に、図１３に示される駆動が為される場合には、図１２に示される駆動を実施する場合に比して、サブフィールドＳＦ１〜ＳＦ１４各々に割り当てられるサスティンＩＰの印加回数が多くなるので、ＳＦ１０よりも１つ手前のサブフィールドＳＦ９以降から、隣接表示セルからの電界の干渉を受ける確率が高くなる。そこで、較的低輝度を表現する場合（多階調化画素データＰＤSが［００００］〜［０１１０］なる範囲の場合）には、図１３の黒三角にて示す如く、サブフィールドＳＦ９において一律に第２回目の選択消去放電を生起させるべき駆動を実施するようにしたのである。
【００７８】
これにより、例えば図１５に示す如く、表示セルＣG1に隣接する表示セルＣR1及びＣB1各々において第１回目の選択消去放電が夫々ＳＦ５及びＳＦ６にて為される場合であっても、これら表示セルＣR1及びＣB1各々の第２回目の選択消去放電（三角にて示す）は共にＳＦ９にて為されることになる。よって、表示セルＣG1において第１回目の選択消去放電（黒丸にて示す）を生起させるべき駆動がＳＦ９にて為される際には、隣接する表示セルＣR1及びＣB1各々には第２回目の選択消去放電を生起させるべき高電圧の画素データパルスが印加されている。従って、ＳＦ９の時点において表示セルＣG1は、これら隣接する表示セルＣR1及びＣB1各々からの電界の干渉を受けなくなり、第１回目の選択消去放電が正しく生起されるようになる。
【００７９】
尚、上記実施例においては、表示デバイスとしてプラズマディスプレイパネルを駆動する場合を例にとってその動作を説明したが、有機（又は無機）エレクトロルミネッセンス表示パネル、液晶表示パネルを駆動する際にも同様に適用可能である。
【図面の簡単な説明】
【００８０】
【図１】本発明による駆動方法によってプラズマディスプレイパネルの駆動を行うプラズマディスプレイ装置の構成を示す図である。
【図２】図１に示される画素駆動データ生成回路３の内部構成を示す図である。
【図３】画素駆動データのデータ変換テーブル、並びに発光駆動パターンＡによる駆動状態を示す図である。
【図４】青色の表示セルに対応した画素駆動データを生成する際に用いられるデータ変換テーブルＡと、発光駆動パターンとを示す図である。
【図５】赤色及び緑色の表示セルに対応した画素駆動データを生成する際に用いられるデータ変換テーブルＢと、発光駆動パターンとを示す図である。
【図６】図１に示されるＰＤＰ１０を駆動する際の発光駆動シーケンスの一例を示す図である。
【図７】図１に示されるＰＤＰ１０に印加される各種駆動パルスを示す図である。
【図８】隣接する表示セルＣR1,ＣG1,ＣB1,ＣR2,ＣG2,ＣB2各々の発光駆動パターンの一例を示す図である。
【図９】本発明による他の駆動方法によってプラズマディスプレイパネルの駆動を行うプラズマディスプレイ装置の構成を示す図である。
【図１０】図９に示されるプラズマディスプレイ装置における表示セルＣR1,ＣG1,ＣB1,ＣR2,ＣG2,ＣB2各々の発光駆動パターンの一例を示す図である。
【図１１】本発明による他の駆動方法によってプラズマディスプレイパネルの駆動を行うプラズマディスプレイ装置の構成を示す図である。
【図１２】図１１に示される画素駆動データ生成回路２４において用いられるデータ変換テーブルＡ、並びに発光駆動パターンを示す図である。
【図１３】図１１に示される画素駆動データ生成回路２４において用いられるデータ変換テーブルＢ、並びに発光駆動パターンを示す図である。
【図１４】図１１に示されるプラズマディスプレイ装置における表示セルＣR1,ＣG1,ＣB1,ＣR2,ＣG2,ＣB2各々の発光駆動パターンの一例を示す図である。
【図１５】図１１に示されるプラズマディスプレイ装置における表示セルＣR1,ＣG1,ＣB1,ＣR2,ＣG2,ＣB2各々の発光駆動パターンの一例を示す図である。
【主要部分の符号の説明】
【００８１】
２，２０，２５    駆動制御回路
３，２４，３０    画素駆動データ生成回路
２１              点灯消灯判別回路
２３              平均輝度演算回路
【図１】
2006243240.tif 000003
【図２】
2006243240.tif 000004
【図３】
2006243240.tif 000005
【図４】
2006243240.tif 000006
【図５】
2006243240.tif 000007
【図６】
2006243240.tif 000008
【図７】
2006243240.tif 000009
【図８】
2006243240.tif 000010
【図９】
2006243240.tif 000011
【図１０】
2006243240.tif 000012
【図１１】
2006243240.tif 000013
【図１２】
2006243240.tif 000014
【図１３】
2006243240.tif 000015
【図１４】
2006243240.tif 000016
【図１５】
2006243240.tif 000017